(57)【要約】【課題】利用者をより楽しませながら各利用者端末が保有する複数のコンテンツを再生することができるコンテンツ再生装置を提供する。【解決手段】ＡＶレシーバ１００は、スマートフォン３０１〜３０３が保有する楽曲データの公開リストを併合することで、共有リストを作成する。共有リストはスマートフォン３０１〜３０３に表示される。利用者は、表示された共有リストの複数の楽曲データのうちのいずれかの楽曲データに対し、投票を行う。ＡＶレシーバは、スマートフォン３０１〜３０３から投票情報を受信すると、投票数が多い楽曲データの順序を再生順序として決定する。そして、ＡＶレシーバ１００は、決定した再生順序に従った再生リストを作成し、再生リストに従って共有リストの複数の楽曲データを再生する。これにより、コンテンツ再生システム９００は、他人の楽曲データの評価と、他人と一緒の選曲という楽しみ方を各利用者に与えることができる。【選択図】図６
2017010288.tif 000002
【特許請求の範囲】
【請求項１】
それぞれにコンテンツを保有する複数の利用者端末と接続され、各コンテンツを再生するコンテンツ再生装置であって、
各利用者端末からコンテンツの保有リストを受信する受信部と、
前記受信部が受信する各保有リストを併合した共有リストを作成する制御部と、
前記制御部が作成する共有リストを各利用者端末へ送信する送信部と、
を備え、
前記受信部は、前記共有リストのコンテンツに対して各利用者端末が受け付けた評価の操作に対応する評価情報を受信し、
前記制御部は、前記受信部が受信する評価情報に基づいて、前記共有リストの各コンテンツの再生順序を決定する、
コンテンツ再生装置。
【請求項２】
前記制御部は、前記評価が高いコンテンツの順序を、前記共有リストの各コンテンツの再生順序として決定する、
請求項１に記載のコンテンツ再生装置。
【請求項３】
前記制御部は、前記受信部が受信する評価情報を前記共有リストに付加し、
前記送信部は、各利用者端末へ、前記評価情報が付加された共有リストを送信する、
請求項１または２に記載のコンテンツ再生装置。
【請求項４】
前記制御部は、全ての前記利用者端末が前記評価の操作を受け付けた後に、前記共有リストの各コンテンツの再生順序を決定する、
請求項１〜３のいずれかに記載のコンテンツ再生装置。
【請求項５】
前記制御部は、全ての前記利用者端末が前記評価の操作を受け付けるまでに、前記共有リストの各コンテンツをランダム再生する、
請求項１〜４のいずれかに記載のコンテンツ再生装置。
【発明の詳細な説明】
【技術分野】
【０００１】
本発明は、複数の利用者端末と接続され、コンテンツを再生するコンテンツ再生装置に関する。
【背景技術】
【０００２】
例えば、特許文献１には、コンテンツとして楽曲データを記憶する３台のソース機器（利用者端末）と、各ソース機器から取得した楽曲データを再生するシンク機器（コンテンツ再生装置）とからなるコンテンツ再生システムが開示されている。
【０００３】
より具体的には、特許文献１に開示されたコンテンツ再生システムでは、利用者端末は、自端末が保有するコンテンツの再生要求をコンテンツ再生装置へ送信する。そして、コンテンツ再生装置は、各利用者端末から再生要求を受信すると、各再生要求に示す各コンテンツを再生する。
【先行技術文献】
【特許文献】
【０００４】
【特許文献１】国際公開第２０１２／１１７４５２号公報
【発明の概要】
【発明が解決しようとする課題】
【０００５】
しかしながら、特許文献１に開示されたコンテンツ再生装置は、再生要求の受信順序のみで複数のコンテンツを再生するだけである。
【０００６】
そこで、本発明の目的は、利用者をより楽しませながら各利用者端末が保有する複数のコンテンツを再生することができるコンテンツ再生装置を提供することにある。
【課題を解決するための手段】
【０００７】
本発明のコンテンツ再生装置は、それぞれにコンテンツを保有する複数の利用者端末と接続され、各コンテンツを再生する。具体的には、本発明のコンテンツ再生装置は、各利用者端末からコンテンツの保有リストを受信する受信部と、前記受信部が受信する各保有リストを併合した共有リストを作成する制御部と、前記制御部が作成する共有リストを各利用者端末へ送信する送信部と、を備える。そして、前記受信部は、前記共有リストのコンテンツに対して各利用者端末が受け付けた評価の操作に対応する評価情報を受信し、前記制御部は、前記受信部が受信する評価情報に基づいて、前記共有リストの各コンテンツの再生順序を決定することを特徴とする。
【０００８】
共有リストには、各利用者端末が保有するコンテンツを示す情報（例えばコンテンツ名）が含まれる。各利用者端末は、共有リストに含まれる他の利用者端末のコンテンツに対しても評価の操作を行う。評価の操作は、再生させるコンテンツの選曲に対応する。
【０００９】
本発明のコンテンツ再生装置では、各利用者は、他の利用者が保有するコンテンツを評価し、この評価の操作によって他の利用者と一緒に選曲する。従って、本発明のコンテンツ再生装置は、他の利用者のコンテンツの評価及び他の利用者と一緒の選曲という従来になかった楽しみ方を各利用者に提供しながら、各利用者端末が保有する複数のコンテンツを再生することができる。
【００１０】
例えば、前記制御部は、前記評価が高いコンテンツの順序で、前記共有リストの各コンテンツを再生する。これにより、コンテンツ再生装置は、嗜好する利用者が多いコンテンツの順序で複数のコンテンツを再生する。従って、各利用者は、コンテンツ再生装置に再生させたいコンテンツを、他の利用者と一緒に楽しんで選曲することができる。
【００１１】
また、前記制御部は、前記受信部が受信する評価情報を前記共有リストに付加し、前記送信部は、各利用者端末は、前記評価情報が付加された共有リストを表示してもよい。
【００１２】
これにより、利用者は、共有リストのコンテンツに対する他の利用者の評価を見ながら、他の利用者のコンテンツの評価及び他の利用者と一緒の選曲を楽しんで行うことができる。
【００１３】
また、前記制御部は、全ての前記利用者端末が前記評価の操作を受け付けた後に、前記共有リストの各コンテンツの再生順序を決定してもよい。
【００１４】
この構成では、コンテンツ再生装置は、コンテンツの再生前に全利用者に評価の操作を行わせることができる。すなわち、この構成では、コンテンツの再生前に全利用者が楽しんで選曲することができる。
【００１５】
また、前記制御部は、全ての前記利用者端末が前記操作を受け付けるまでに、前記共有リストの各コンテンツをランダム再生してもよい。
【００１６】
この構成では、各利用者は、選曲中に、コンテンツのランダム再生を楽しむことができる。
【発明の効果】
【００１７】
本発明によれば、従来になかった楽しみ方を各利用者に提供しながら、各利用者端末が保有する複数のコンテンツを再生することができる。
【図面の簡単な説明】
【００１８】
【図１】本発明の実施形態に係るコンテンツ再生システムの概要を説明するための図である。
【図２】（Ａ）は、スマートフォンの構成の一部を示すハードウェアブロック図であり、（Ｂ）は、ＡＶレシーバの構成の一部を示すハードウェアブロック図である。
【図３】コンテンツ再生システムの動作を示すフローチャートである。
【図４】共有リストの作成処理におけるＡＶレシーバ及び２台のスマートフォンの各動作を示すフローチャートである。
【図５】（Ａ）及び（Ｂ）は、公開リストの例を示す図であり、（Ｃ）は、共有リストの例を示す図である。
【図６】再生順序の決定処理におけるＡＶレシーバ及び２台のスマートフォンの各動作を示すフローチャートである。
【図７】投票操作を受け付けるスマートフォンの表示例を示す図である。
【図８】（Ａ）は、得点情報が付加された共有リストを示す図であり、（Ｂ）は、得点が高い順に共有リストの楽曲データが並べられた再生リストの例である。
【図９】投票操作の変形例１に係る操作を受け付けるスマートフォンの表示例を示す図である。
【図１０】変形例１に係る操作後の共有リストの各コンテンツの得点例を示す図である。
【図１１】投票操作の変形例２に係る段階評価の操作を受け付けるスマートフォンの表示例を示す図である。
【図１２】変形例に係るコンテンツ再生システムの動作を示すフローチャートである。
【発明を実施するための形態】
【００１９】
実施形態１に係るコンテンツ再生システム９００について、図１、図２（Ａ）、及び図２（Ｂ）を用いて説明する。図１は、コンテンツ再生システム９００の概要を説明するための図である。図２（Ａ）は、スマートフォン３０１の構成の一部を示すハードウェアブロック図であり、図２（Ｂ）は、ＡＶレシーバ１００の構成の一部を示すハードウェアブロック図である。
【００２０】
図１に示すように、コンテンツ再生システム９００は、ＡＶレシーバ１００と、２台のスピーカ２００Ｌ及びスピーカ２００Ｒと、３台のスマートフォン３０１、スマートフォン３０２及びスマートフォン３０３と、を備える。ＡＶレシーバ１００と、スマートフォン３０１、スマートフォン３０２及びスマートフォン３０３とは、例えばＢｌｕｅｔｏｏｔｈ（登録商標）規格で接続される。ただし、ＡＶレシーバ１００と、スマートフォン３０１、スマートフォン３０２及びスマートフォン３０３との接続は、他の規格（例えばＷｉ−Ｆｉ（登録商標））で行われてもよい。
【００２１】
ＡＶレシーバ１００は、コンテンツ再生装置に相当する。スマートフォン３０１、スマートフォン３０２及びスマートフォン３０３は、利用者端末に相当する。ただし、コンテンツ再生装置は、オーディオプレーヤ及びヘッドフォン型プレーヤ等であっても構わない。また、利用者端末は、電話機能を有さない音楽端末及びウェアラブル端末であっても構わない。以下、スマートフォン３０１、スマートフォン３０２及びスマートフォン３０３をスマートフォン３０１〜３０３と省略して説明する場合がある。
【００２２】
コンテンツ再生システム９００では、スマートフォン３０１〜３０３は、それぞれコンテンツを保有する。コンテンツ再生システム９００は、他の利用者のコンテンツを各利用者に評価させ、評価の操作によって再生対象となるコンテンツを選曲させる。従って、本実施形態に係るコンテンツ再生システム９００は、他の利用者のコンテンツの評価と、他の利用者と一緒の選曲という楽しみ方をスマートフォン３０１〜３０３の各利用者に提供することができる。
【００２３】
以下、本実施形態では、コンテンツを楽曲データとして説明するが、コンテンツは映像データであっても構わない。
【００２４】
次に、コンテンツ再生システム９００の構成について説明する。図２（Ａ）に示すように、スマートフォン３０１は、タッチパネル３１と、ディスプレイ３２と、プロセッサ３３と、メモリ３４と、無線モジュール３５とを備えている。各構成は共通のＢＵＳに接続されている。
【００２５】
スマートフォン３０１のプロセッサ３３は、他の各構成を統括的に制御する。無線モジュール３５は、Ｂｌｕｅｔｏｏｔｈ（登録商標）規格によって情報を送受信する。タッチパネル３１は、利用者からの操作入力を受け付ける。スマートフォン３０１は、タッチパネル３１とディスプレイ３２とでＧＵＩ（Ｇｒａｐｈｉｃａｌ  Ｕｓｅｒ  Ｉｎｔｅｒｆａｃｅ）を実現する。メモリ３４は、コンテンツとして楽曲データを記憶する。ただし、スマートフォン３０１による楽曲データの保有は、メモリ３４に限らず、インターネット上のサーバなどの情報処理装置に記憶される態様も含む。
【００２６】
メモリ３４は、プログラムを記憶する。メモリ３４に記憶されるプログラムは、プロセッサ３３によって実行される。このプログラムの実行により、スマートフォン３０１は、他のスマートフォンが保有する楽曲データに対する評価の操作の受け付けと、他の利用者と一緒の選曲とを実現する。
【００２７】
スマートフォン３０２及びスマートフォン３０３は、それぞれスマートフォン３０１と同じ各構成を備える。すなわち、スマートフォン３０２及びスマートフォン３０３は、スマートフォン３０１と同様に、それぞれＧＵＩを実現する。スマートフォン３０２及びスマートフォン３０３は、スマートフォン３０１と同様に、楽曲データを記憶する。
【００２８】
図２（Ｂ）に示すように、ＡＶレシーバ１００は、ＣＰＵ（Ｃｅｎｔｒａｌ  Ｐｒｏｃｅｓｓｉｎｇ  Ｕｎｉｔ）１と、メモリ２と、ＤＳＰ（Ｄｉｇｉｔａｌ  Ｓｉｇｎａｌ  Ｐｒｏｃｅｓｓｏｒ）３と、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ（ＨＤＭＩは登録商標））４と、無線モジュール５と、ＡＭＰ（Ａｍｐｌｉｆｉｅｒ）６と、を備える。各構成は、共通のＢＵＳに接続されている。
【００２９】
ＤＳＰ３は、楽曲データに含まれる音声データに対する各種音響処理のためのプロセッサである。ＨＤＭＩ４は、楽曲データを含むコンテンツデータを送受信するためのインターフェースである。無線モジュール５は、Ｂｌｕｅｔｏｏｔｈ（登録商標）規格の通信を実現する。ＡＭＰ６は、音声信号を増幅する回路である。ＡＭＰ６によって増幅された音声信号は、スピーカ２００Ｌ及びスピーカ２００Ｒへ出力される。メモリ２は、プログラムを記憶する。ＣＰＵ１は、メモリ２からプログラムを読み出し、読み出したプログラムを実行する。このプログラムの実行により、ＡＶレシーバ１００は、スマートフォン３０１〜３０３が受け付けた評価の操作に基づいて、スマートフォン３０１〜３０３が保有する複数の楽曲データの再生順序を決定する。
【００３０】
メモリ２は、スマートフォン３０１〜３０３から送信される公開リストを記憶する。メモリ２は、スマートフォン３０１〜３０３から送信される投票情報を記憶する。公開リストと投票情報とは後述する。
【００３１】
次に、コンテンツ再生システム９００の動作について図３を用いて説明する。図３は、コンテンツ再生システム９００の動作を示すフローチャートである。
【００３２】
図３に示すように、コンテンツ再生システム９００は、まず、共有リストを作成する（Ｓ１）。共有リストとは、スマートフォン３０１〜３０３が保有する楽曲データの公開リストを併合したリストである。公開リストとは、各スマートフォン３０１〜３０３が保有する楽曲データのうち、他のスマートフォンに公開可能な楽曲データのリストである。楽曲データの公開とは、他のスマートフォンによって当該楽曲データの名称等が表示されることである。公開リストは、本発明の保有リストに相当する。
【００３３】
コンテンツ再生システム９００は、共有リストの作成後（Ｓ１）、楽曲データの再生順序を決定し（Ｓ２）、決定した再生順序で複数の楽曲データを再生する（Ｓ３）。
【００３４】
ステップＳ１の具体的な動作について、図４を用いて説明する。図４は、共有リスト作成処理におけるＡＶレシーバ１００、スマートフォン３０１、及びスマートフォン３０２の各動作を示すフローチャートである。ただし、図４の点線矢印は、情報の送信方向を示す。また、図４では、スマートフォン３０３の動作の説明は省略する。
【００３５】
まず、スマートフォン３０１は、公開リストを作成する（Ｓ１１）。例えば、スマートフォン３０１は、自端末が保有する楽曲データのリストをディスプレイ３２に表示し、表示したリストに示す各楽曲データに対する公開可否の操作をタッチパネル３１で受け付ける。そして、スマートフォン３０１は、受け付けた操作が示す楽曲データを公開リストに含めることで、公開リストを作成する。ただし、スマートフォン３０１は、自端末が保有する全ての楽曲データのリストを公開リストとして作成してもよい。
【００３６】
公開リストの例について、図５（Ａ）を用いて説明する。ただし、スマートフォン３０１は、楽曲データ名が楽曲名１、楽曲名２、楽曲名３、楽曲名４、および楽曲名５である楽曲データを保有しているものとする。
【００３７】
ここで、スマートフォン３０１の利用者は、楽曲名１、楽曲名３、および楽曲名５の名称の楽曲データを公開させる操作をスマートフォン３０１に対して行ったとする。すると、図５（Ａ）に示すように、スマートフォン３０１は、公開可能と選択された楽曲名１、楽曲名３、および楽曲名５を含む公開リスト３０１Ｌを作成する。
【００３８】
図４のフローチャートに戻り、スマートフォン３０２は、公開リストを作成する（Ｓ３１）。この例では、スマートフォン３０２は、図５（Ｂ）に示す公開リスト３０２Ｌを作成したものとする。すなわち、スマートフォン３０２の利用者は、スマートフォン３０２が保有する楽曲名１１〜１５の名称の楽曲データのうち、楽曲名１２および楽曲名１４の名称の楽曲データを、スマートフォン３０１およびスマートフォン３０３に公開可能であると選択したものとする。
【００３９】
スマートフォン３０１およびスマートフォン３０２は、無線モジュール３５を制御することで、作成した公開リスト３０１Ｌおよび公開リスト３０２ＬをＡＶレシーバ１００へ送信する（Ｓ１２およびＳ３２）。ＡＶレシーバ１００は、スマートフォン３０１およびスマートフォン３０２から、公開リスト３０１Ｌおよび公開リスト３０２Ｌを受信する（Ｓ２１）。
【００４０】
公開リスト３０１Ｌおよび公開リスト３０２Ｌの送受信は、Ｂｌｕｅｔｏｏｔｈ（登録商標）規格に適合する無線通信で行われてもよいし、Ｗｉ−Ｆｉ（登録商標）規格に適合する無線通信で行われてもよい。また、公開リスト３０１Ｌおよび公開リスト３０２Ｌの送受信は、無線通信に限らず、有線通信（例えばＵＳＢケーブル）で行われてもよい。
【００４１】
ＡＶレシーバ１００は、スマートフォン３０１及びスマートフォン３０２から、公開リスト３０１Ｌおよび公開リスト３０２Ｌを受信すると（Ｓ２１）、共有リストを作成する（Ｓ２２）。共有リストは、ステップＳ２１で受信した公開リスト３０１Ｌおよび公開リスト３０２Ｌを併合することにより作成される。すると、図５（Ｃ）に示すように、楽曲名１、楽曲名３、楽曲名５、楽曲名１２、および楽曲名１４の名称を含む共有リストが作成される。図５（Ｃ）に示す共有リストでは、各楽曲データの名称は、当該楽曲データを保有するスマートフォンの名称に対応付けられている。なお、複数のスマートフォンに保有される楽曲データは、共有リストにおいて重複して含められてもよいし、まとめられて含められてもよい。
【００４２】
ＡＶレシーバ１００は、作成した共有リストをスマートフォン３０１〜３０３へ送信する（Ｓ２３）。スマートフォン３０１〜３０３は、ＡＶレシーバ１００から共有リストを受信する（Ｓ１３およびＳ３３）。
【００４３】
次に、図３のフローチャートのステップＳ２に示す再生順序の決定処理ついて、具体的に図６を用いて説明する。図６は、再生順序の決定処理におけるＡＶレシーバ１００、スマートフォン３０１、およびスマートフォン３０２の各動作を示すフローチャートである。図６では、スマートフォン３０３の動作は省略する。
【００４４】
以下、本発明の評価の操作を投票操作として説明する。また、この評価の操作は、楽曲データの選曲に対応する。
【００４５】
図６に示すように、スマートフォン３０１およびスマートフォン３０２は、共有リストを表示する（Ｓ１０１およびＳ１２１）。そして、スマートフォン３０１およびスマートフォン３０２は、共有リストの各楽曲データに対する投票操作を受け付ける（Ｓ１０２およびＳ１２２）。
【００４６】
投票操作の受け付けについて、図７を用いて説明する。図７は、投票操作を受け付けるスマートフォン３０１の表示例を示す図である。
【００４７】
図７に示すように、スマートフォン３０１は、ディスプレイ３２の表示領域４０１に共有リストの各楽曲データに対して投票させる指示を表示する。スマートフォン３０１は、ディスプレイ３２の表示領域４０２に共有リストの各楽曲データの名称４０３と、各楽曲データに対応する投票ボタン４０４とを表示する。
【００４８】
スマートフォン３０１の利用者は、いずれかの投票ボタン４０４の表示領域をタッチすることで、共有リストの複数の楽曲データのうち、いずれかの楽曲データに投票する。すると、スマートフォン３０１は、図６のフローチャートに示すように、投票された楽曲データを示す投票情報をＡＶレシーバ１００へ送信する（１０３）。投票情報は、本発明の評価情報に相当する。
【００４９】
スマートフォン３０１と同様に、スマートフォン３０２の利用者は、投票された楽曲データを示す投票情報をＡＶレシーバ１００へ送信する（Ｓ１２３）。
【００５０】
ＡＶレシーバ１００は、投票情報を受信すると（Ｓ１１１）、再生順序を決定するための得点を算出する（Ｓ１１２）。決定された再生順序は、コンテンツ再生処理（図３のステップＳ３）に用いられる。例えば、ＡＶレシーバ１００は、いずれのスマートフォンにおいても投票操作がなされていない場合、共有リストの各楽曲データの得点を初期値として０点とする。そして、ＡＶレシーバ１００は、いずれかのスマートフォン３０１〜３０３において投票操作がなされると、投票操作がなされた楽曲データの得点に１点を加える。
【００５１】
図８（Ａ）は、得点情報が各楽曲データに付加された共有リストを示す図である。図８（Ａ）に示す共有リストでは、名称が楽曲名１である楽曲データに対し、得点３が対応付けられている。すなわち、図８（Ａ）に示す共有リストは、楽曲名１である楽曲データに対し、３台のスマートフォンにおいて投票操作が行われたことを示す。ただし、図８（Ａ）に示す例では、説明のために、１１台のスマートフォンにおいて投票操作が行われたものとする。
【００５２】
ＡＶレシーバ１００は、得点の高い楽曲データの順序を楽曲データの再生順序として決定する。ただし、ＡＶレシーバ１００は、得点の低い楽曲データの順序を楽曲データの再生順序として決定してもよい。
【００５３】
なお、各スマートフォン３０１〜３０３は、１回のみの投票操作を受け付ける態様に限らず、複数回の投票操作を受け付けてもよい。ただし、各スマートフォン３０１〜３０３に対する投票操作を１回に制限すれば、コンテンツ再生システム９００は、全ての利用者間において投票を公平にすることができる。
【００５４】
また、ＡＶレシーバ１００は、共有リストを送信後（図４のＳ２３）、所定の時間（例えば１分間）内のみで、投票情報の受信を行ってもよい。この場合、ＡＶレシーバ１００は、全てのスマートフォン３０１〜３０３において投票操作が行われなくても、コンテンツ再生処理（図３のステップＳ３）を開始することができる。また、ＡＶレシーバ１００は、所定の時間内のみで投票情報を受信する場合、投票操作による選曲を制限時間内で行うという楽しみ方をスマートフォン３０１〜３０３の各利用者に与えることができる。この場合、スマートフォン３０１〜３０３は、制限時間を示すカウントダウンを表示してもよい。
【００５５】
ただし、ＡＶレシーバ１００は、全てのスマートフォン３０１〜３０３から投票情報を受信した後に、得点を算出して再生順序を決定してもよい。この場合、コンテンツ再生システム９００は、スマートフォン３０１〜３０３の全ての利用者に、他の利用者と一緒の選曲という楽しみ方を与えることができる。
【００５６】
ＡＶレシーバ１００は、得点の算出を終えると（Ｓ１１２）、表示変更指示をスマートフォン３０１〜３０３へ送信する（Ｓ１１３）。表示変更指示とは、スマートフォン３０１〜３０３に対し、表示中の共有リストの各楽曲データの名称４０３に得点の表示を付加させる指示である。具体的には、ＡＶレシーバ１００は、ステップＳ１１２において算出した得点であって、共有リストの各楽曲データに対応する得点の情報をスマートフォン３０１及びスマートフォン３０２へ送信する。ただし、表示変更指示は、投票が行われていないスマートフォンに対しても送信される。
【００５７】
スマートフォン３０１及びスマートフォン３０２は、共有リストの各楽曲データに対応する得点の情報を含む表示変更指示を受信すると（Ｓ１０４およびＳ１２４）、各楽曲名称４０３に得点を対応付けて表示する（Ｓ１０５およびＳ１２５）。これにより、スマートフォン３０１〜３０３の利用者は、他の利用者の投票状況を見ながら、楽しんで選曲することができる。
【００５８】
図３に戻り、コンテンツ再生システム９００は、ステップＳ２において決定された再生順序で複数の楽曲データを再生する（Ｓ３）。例えば、ＡＶレシーバ１００は、共有リストの各楽曲データを決定された再生順序で並び替えてなる再生リストを作成することで、決定された再生順序で複数の楽曲データを再生する。
【００５９】
図８（Ｂ）は、図８（Ａ）に示す共有リストの楽曲データを得点の高い順に並び替えることで作成されたリストである。図８（Ｂ）に示すように、再生リストの先頭は、得点が５点と最も高い楽曲名１２を示す。図８（Ｂ）に示す再生リストは、先頭から２番目に、得点が３点と２番目に高い楽曲名１を示す。すなわち、図８（Ｂ）に示す再生リストは、得点の降順に共有リストをランキングしたものである。
【００６０】
そして、ＡＶレシーバ１００は、作成した再生リストの先頭の楽曲データを再生対象と決定する。そして、当該楽曲データをスマートフォン３０１〜３０３のいずれかから受信する。再生対象の楽曲データを保有するスマートフォンは、共有リストを参照することで求められる。ＡＶレシーバ１００は、楽曲データを受信しつつ、スピーカ２００Ｌ及びスピーカ２００Ｒから当該楽曲データに含まれる音を出力させる。
【００６１】
再生対象の楽曲データの再生が終了すると、ＡＶレシーバ１００は、再生リストの先頭の楽曲データを再生リストから削除し、再生リストの新たな先頭の楽曲データを再生対象とする。以上のように、ＡＶレシーバ１００は、再生リストに従って複数の楽曲データの再生を行う。ただし、ＡＶレシーバ１００は、投票がされていない楽曲データを再生しなくてもよい。
【００６２】
以上のように、コンテンツ再生システム９００は、他の利用者の楽曲データの評価と、他の利用者と一緒の選曲という楽しみ方を、各利用者に与えながら、スマートフォン３０１〜３０３が保有する複数の楽曲データを再生することができる。
【００６３】
なお、ＡＶレシーバ１００が得点を算出することは本実施形態に必須ではない。例えば、ＡＶレシーバ１００は、投票された楽曲データの投票順序を再生順序として決定してもよい。
【００６４】
また、コンテンツデータが映像データを含む場合、ＡＶレシーバ１００は、スマートフォン３０１〜３０３からコンテンツデータを受信しつつ、ＨＤＭＩ４を介して当該コンテンツデータに含まれる映像データをテレビ（不図示）へ出力してもよい。
【００６５】
次に、図９は、投票操作の変形例１に係る操作を受け付けるスマートフォン３０１の表示例を示す図である。図１０は、得点情報が付加された共有リストの例を示す図である。
【００６６】
上述の例では、投票操作は、共有リストの楽曲データを選択する操作であったが、図９に示す変形例１に係る操作は、共有リストの各楽曲データに対し、嗜好又は嫌悪を示す選択を行う操作である。
【００６７】
具体的には、図９に示すように、スマートフォン３０１は、各楽曲名４０３に、２つのラジオボタン４１３を対応付けて表示している。一方のラジオボタン４１３の表示には、嗜好を示す文字列４１１の表示が対応付けられている。他方のラジオボタン４１３の表示には、嫌悪を示す文字列４１２の表示が対応付けられている。
【００６８】
利用者は、各楽曲データの名称４０３に示す楽曲データに対し、いずれかのラジオボタン４１３を選択することで、嗜好又は嫌悪を示す選択操作を行う。スマートフォン３０１は、受け付けた選択操作の情報を、ＡＶレシーバ１００へ送信する。
【００６９】
図１０に示すように、例えば、ＡＶレシーバ１００は、共有リストの楽曲データに対し、嗜好を示す選択操作の数と、嫌悪を示す選択操作の数と、合計得点とを求める。図１０に示す例では、合計得点は、嗜好を示す選択操作の数から、嫌悪を示す選択操作の数を減算することで求められている。選択操作の数は、当該操作を受け付けたスマートフォンの台数を示す。ＡＶレシーバ１００は、合計得点に従った再生順序で、共有リストの複数の楽曲データを再生する。なお、ＡＶレシーバ１００は、例えば合計得点が１点以上の楽曲データのみを再生してもよい。ただし、図１０に示す例では、説明のために、１５台のスマートフォンにおいて投票操作が行われたものとする。
【００７０】
スマートフォン３０１〜３０３の各利用者は、嫌悪を示す選択操作により、ＡＶレシーバ１００に再生させたくない楽曲データを選曲することができる。また、各利用者は、他の利用者が再生させたい楽曲データを再生させないようにすることも、他の利用者が再生させたくない楽曲データを再生させるようにすることもでき、より楽しんで選曲することができる。
【００７１】
次に、図１１は、投票操作の変形例２に係る操作を受け付けるスマートフォン３０１の表示例を示す図である。変形例２に係る操作は、共有リストの各楽曲データに対し、段階評価を行う操作である。図１１に示す例では、段階評価を行う操作は、評価の３段階のうちのいずれかの段階を選択することで行われる。
【００７２】
具体的には、図１１に示すように、スマートフォン３０１は、表示領域４０１に、共有リストの各コンテンツを評価させる指示を表示する。スマートフォン３０１は、表示領域４０２に、各楽曲データの名称４０３と、評価マーク４２０と、を対応付けて表示する。評価マーク４２０は、マーク４２１と、マーク４２２と、マーク４２３とを含む。マーク４２１は、評価の３段階のうちの最も低い評価を示す。マーク４２３は、評価の３段階のうちの最も高い評価を示す。
【００７３】
スマートフォン３０１の利用者は、マーク４２１、マーク４２２、およびマーク４２３のうちのいずれかの表示領域をタッチすることで、対応する楽曲データに対して、いずれかの段階の評価を与える。スマートフォン３０１は、各楽曲データに対応する評価の段階情報をＡＶレシーバ１００へ送信する。
【００７４】
ＡＶレシーバ１００は、楽曲データに対する得点を、評価の段階に応じた点数の平均値として算出する。例えば、ＡＶレシーバ１００は、１段階目の評価を１点とし、２段階目の評価を２点とし、３段階目の評価を３点とする。そして、ＡＶレシーバ１００が、共有リストの各楽曲データに対して合計得点を算出し、算出した合計得点を、評価操作を受け付けたスマートフォンの台数で除算することで、平均値を算出する。従って、利用者は、評価の平均値を見ながら、楽しんで選曲することができる。
【００７５】
なお、図７、図９、および図１１は、共有リストの各楽曲データに対する評価の操作の一例を示したが、評価の操作は、楽曲データに対するコメント入力であってもよい。評価の操作がコメント入力である場合、ＡＶレシーバ１００は、コメント数が多い楽曲データの順序、コメントの閲覧数が多い楽曲データの順序、等の順序で、共有リストの複数の楽曲データを再生する。コンテンツ再生システム９００は、評価の操作がコメント入力であっても、このような選曲時の楽しみ方を提供することができる。
【００７６】
次に、図１２は、変形例に係るコンテンツ再生システム９００の動作を示すフローチャートである。図１２に示すフローチャートは、再生順序の決定処理と、ランダム再生処理とが並列に実行される点において、図３に示すフローチャートと相違する。
【００７７】
図１２に示すように、コンテンツ再生システム９００は、再生順序の決定処理（Ｓ２）と並行して、共有リストの楽曲データをランダム再生する（Ｓ２Ａ）。具体的には、ＡＶレシーバ１００は、再生順序の決定処理（Ｓ２）と並行して、共有リストの楽曲データの中から任意の楽曲データを順次再生する。なお、ＡＶレシーバ１００は、再生順序の決定処理が終了すると、楽曲データをランダム再生している最中であっても、当該ランダム再生を停止し、決定した再生順序に従った楽曲データの再生を開始する（Ｓ３）。
【００７８】
図１２に示す変形例では、スマートフォンの台数が多く、全てのスマートフォンで投票操作が完了するまでに時間がかかる場合であっても、利用者は、選曲中に、楽曲データのランダム再生を楽しむことができる。
【００７９】
なお、コンテンツ再生システム９００は、再生順序の決定処理中に、共有リストを更新する処理を行ってもよい。すなわち、ランダム再生中に、いずれかのスマートフォン３０１〜３０３が公開リストを更新すると、ＡＶレシーバ１００は、更新された公開リストを受信し、当該公開リストに基づいて共有リストを更新する。そして、ＡＶレシーバ１００は、共有リストを各スマートフォン３０１〜３０３へ表示更新指示と共に送信する。
【００８０】
上述の例は、コンテンツ再生装置として音声信号を外部のスピーカへ出力するＡＶレシーバを用いて説明したが、コンテンツ再生装置は、スピーカを備えるものであってもかまわない。また、コンテンツ再生装置は、室内に設置されるものに限らず、例えば車内に設置されるカーオーディオ装置であってもかまわない。
【符号の説明】
【００８１】
１００…ＡＶレシーバ
２００Ｌ，２００Ｒ…スピーカ
３０１，３０２，３０３…スマートフォン
１…ＣＰＵ
２…メモリ
３…ＤＳＰ
４…ＨＤＭＩ（登録商標）
５…無線モジュール
６…ＡＭＰ
３１…タッチパネル
３２…ディスプレイ
３３…プロセッサ
３４…メモリ
３５…無線モジュール
【図１】
2017010288.tif 000003
【図２】
2017010288.tif 000004
【図３】
2017010288.tif 000005
【図４】
2017010288.tif 000006
【図５】
2017010288.tif 000007
【図６】
2017010288.tif 000008
【図７】
2017010288.tif 000009
【図８】
2017010288.tif 000010
【図９】
2017010288.tif 000011
【図１０】
2017010288.tif 000012
【図１１】
2017010288.tif 000013
【図１２】
2017010288.tif 000014